(57)【要約】【課題】安定して正確な色調を得ることが可能な画像形成装置を提供する。【解決手段】感光体ドラム１と、帯電器２と、露光手段と、静電潜像を現像する現像器３１〜３４と、を有する画像形成装置において、感光体ドラム１上に形成された測定用画像の表面電位を検知する表面電位計２１と、測定用画像に供給された現像剤の現像量を検知する現像量検出器２０と、露光条件を決定する計算回路２２と、露光を制御するパルス幅変調回路２３と、を有し、感光体ドラム１の表面に現像された現像済みの現像剤の上に重ねて、新たに現像剤を現像する際は、現像済みの現像剤で形成された測定用画像と、新たに現像される現像剤で形成された測定用画像の、表面電位計２１、及び現像量検出器２０による検知結果に基づいて、計算回路２２が計算することによって露光条件を決定し、決定された露光条件に基づいてパルス幅変調回路２３が露光を制御する。【選択図】図６
2008145745.tif 000002
【特許請求の範囲】
【請求項１】
光導電性の像担持体と、
前記像担持体の表面を一様に帯電する帯電手段と、
前記帯電手段によって帯電された前記像担持体の表面を露光して、前記像担持体の表面に静電潜像を形成する露光手段と、
前記静電潜像に対して現像剤を供給して前記静電潜像を現像する現像手段と、
を有し、
前記帯電手段、前記露光手段、前記現像手段によって、帯電、露光、現像を繰り返すことによって、カラー画像を重ねて現像する画像形成装置において、
前記像担持体上に形成された測定用画像の表面電位を検知する表面電位検知手段と、
前記測定用画像に供給された現像剤の現像量を検知する現像量検知手段と、
前記表面電位検知手段と前記現像量検知手段による検知結果に基づいて、前記露光手段の露光条件を決定する計算手段と、
前記計算手段によって決定された露光条件に基づいて露光を制御する露光制御手段と、
を有し、
前記像担持体の表面に現像された現像済みの現像剤の上に重ねて、新たに現像剤を現像する際は、
現像済みの現像剤で形成された測定用画像と、新たに現像される現像剤で形成された測定用画像の、前記表面電位検知手段、及び前記現像量検知手段による検知結果に基づいて、
前記計算手段が計算することによって露光条件を決定し、
決定された露光条件に基づいて前記露光制御手段が露光を制御することを特徴とする画像形成装置。
【請求項２】
前記計算手段は、
現像済みの現像剤で形成された測定用画像の、前記表面電位検知手段、及び前記現像量検知手段による検知結果に基づいて、現像済み現像剤の電荷密度を算出し、
新たに現像される現像剤で形成された測定用画像の、前記表面電位検知手段、及び前記現像量検知手段による検知結果に基づいて、新たに現像される現像剤の電荷密度を算出し、
現像済み現像剤の電荷密度と、
新たに現像される現像剤の電荷密度と、
現像済み現像剤、及び新たに現像される現像剤の誘電率と、
新たに現像される現像剤の充電効率を用いて、
前記露光条件を計算することを特徴とする請求項１に記載の画像形成装置。
【請求項３】
前記露光条件とは、
露光を行う際の露光量であることを特徴とする請求項１または２に記載の画像形成装置。
【発明の詳細な説明】
【技術分野】
【０００１】
本発明はフルカラー、マルチカラー等の多色画像をシート材に形成することが可能な電子写真方式または静電記録方式の画像形成装置に関する。
【背景技術】
【０００２】
従来、像担持体としての感光体ドラムの表面上に多色のトナー像を現像し、この多色のトナー像を給送されたシート材に一括転写し、所望の多色画像を得る画像形成装置が提案されている（特許文献１参照）。
【０００３】
このような画像形成装置は、異なる色の現像剤（トナー）を各々収納する複数の現像器を備え、電子写真方式によって露光、現像の行程を逐次行い、複数回の現像サイクルで像担持体である感光体ドラムの表面上に多色のトナー像を形成するものである。このように、複数回の現像サイクルで単色の現像剤を重ねることで所望する色調を有する画像を得る現像法を、多重現像と称して以下説明を行う。
【０００４】
図１に従来例に係る画像形成装置としてのカラーレーザビームプリンタの、要部の概略構成を示す。
【０００５】
図１に示すカラーレーザビームプリンタは、像担持体としてドラム形状の導電性基体上に光導電層部材を被着した感光体ドラム１を有し、この感光体ドラム１は図中矢印方向に定常回転する。
【０００６】
さらに、感光体ドラム１の回転方向に沿って、帯電手段としての帯電器２、現像手段としての現像器３１〜３４、転写手段４、クリーナ５、除電ランプ８、がそれぞれ配設される。また、露光手段として、リーダー部１０、及びレーザ光射出部６が配設される。
【０００７】
帯電手段としての帯電器２は、感光体ドラム１の表面上を一様に帯電させる為のものである。また、現像手段としての現像器３１〜３４は、それぞれ第１〜第４の現像剤（トナー）である、Ｍ（マゼンタ）、Ｃ（シアン）、Ｙ（イエロー）、Ｂ（ブラック）の現像剤を収容する為のものである。
【０００８】
また、転写手段４は、感光体ドラム１の表面上に現像されたトナー像を紙などのシート材へ転写するもので、クリーナ５は、感光体ドラム１上の残留トナーを除去し、除電ランプ８は、感光体ドラム１表面を除電するものである。
【０００９】
さらに、露光手段としてのリーダー部１０、及びレーザ光射出部６は、リーダー部１０に入力される色分解画像データに基づいて、レーザ光を感光体ドラム１の表面上に照射し、感光体ドラム１の表面を露光し、静電潜像を形成するためものである。
【００１０】
次に、上記のように構成される従来例に係るカラーレーザプリンタにおいて、感光体ドラム１の表面上に多重現像を行って、感光体ドラム１の表面上に多色画像を得るプロセスについて説明する。
【００１１】
まず、帯電器２によって感光体ドラム１の表面上を一様に帯電し、リーダー部１０に入力される特定の色の画像信号に基づいて、レーザ光射出部６からレーザ光を射出し、感光体ドラム１の表面上に静電潜像を形成する。
【００１２】
形成された静電潜像に対して、特定の色の現像剤が現像器より供給され、感光体ドラム１の表面上に特定の色のトナー像を形成する。さらに、この工程を繰り返して現像剤を重ねることで、感光体ドラム１の表面上に所望の多色画像を形成する。
【００１３】
なお、このように感光体ドラム１の表面上に各色の現像剤を重ねて現像する多重現像においては、特定の色の現像剤を感光体ドラム１の表面上に現像する際に、他の色が現像される領域に形成された静電潜像を破壊しないようにする必要がある。
【００１４】
このため、図１に示すように、感光体ドラム１と現像器３１〜３４は非接触に構成されることが望ましい。すなわち、感光体ドラム１の表面上に現像剤を供給して現像を行う際は、現像器３１〜３４と感光体ドラム１の表面上の間に形成される電界から受ける力によって、現像剤が現像器から感光体ドラム１の表面上へ移動し付着する。
【特許文献１】特開平３−２５３８７３号公報
【発明の開示】
【発明が解決しようとする課題】
【００１５】
しかしながら上記従来例に係る画像形成装置においては、感光体ドラム１の表面上に多重現像を行う際に、現像済みのトナー像の上から新たに現像されるトナー像の濃度が不安定になる場合があった。現像されるトナー像の濃度が不安定になると、安定して正確な色調を得ることができない。
【００１６】
ここで図２を参照して、多重現像を行う際に、現像済みのトナー像の上から新たに現像されるトナー像の濃度が不安定になる現象について以下説明する。
【００１７】
よりわかりやすく説明を行うために、１色目の現像剤としてＹ（イエロー）、２色目の現像剤としてＭ（マゼンダ）を用いて多重現像を行う場合を説明する。しかしながら、３色以上の多重現像を行うフルカラー方式であっても、また再帯電プロセスのある多重現像方式であっても、問題が生じるに至るプロセスは２色によって多重現像を行う場合と何ら変わりはない。
【００１８】
図２は、これら２色の現像剤で多重現像を行う際の、感光体ドラム１における表面電位の変化の状態を示すものである。図２において、Ｙのトナー像のみが現像される画像領域を（i）、Ｍのトナー像のみが現像される画像領域を（ii）、何も現像されない白地部の
画像領域を（iii）、Ｙの後からＭのトナー像を重ねて現像する画像領域を（iv）とする
。
【００１９】
まず、感光体ドラム１の表面上を一様に帯電し、感光体ドラム１の表面の電位をＶＤにする。この状態を図２（ａ）に示す。
【００２０】
その後、帯電した感光体ドラム１の表面上にレーザ光を照射して１色目のＹの露光を行う。Ｙの露光が行われると（i）と（iv）の領域が露光されるので、（i）と（iv）の領域の電位がＶＬ１になる。
【００２１】
露光が終わった後、（i）と（iv）の領域に対してＹの現像剤を供給して現像を行う。
この際、現像を行うためにＹの現像電位をＶＤＣ１として現像を行うと、（i）と（iv）
の領域にはＹの現像剤が供給され、（i）と（iv）の領域に形成されるＹのトナー像の表
面電位はＶＴ１となる。この状態を図２（ｂ）に示す。
【００２２】
このようにして、感光体ドラム１の表面上に１色目のＹのトナー像が現像されると、次いで（ii）と（iv）の領域に２色目のＭ（マゼンダ）の現像をするために（ii）と（iv）
の領域が露光される。
【００２３】
そして１色目の時と同様に（ii）と（iv）の領域が露光されると、（ii）の領域の電位がＶＬ２、（iv）の領域の電位がＶＬ３、さらに（iv）の領域に現像された１色目のＹのトナー像の表面電位がＶＴ４となる。
【００２４】
そして、この状態で２色目のＭの現像電位をＶＤＣ２としてＭの現像を行うと、（ii）と（iv）の領域にはＭの現像剤が供給され、（ii）と（iv）の領域に現像されるＭのトナー像の表面電位がそれぞれ、ＶＴ２、ＶＴ３となる。この状態を図２（ｃ）に示す。
【００２５】
しかしながら、以上で説明した多重現像のプロセスにおいては、図２（ｃ）の（iv）の領域に示したＹのトナー像の表面電位ＶＴ４は不安定である。すなわち、ＶＴ４の値の変動によって２色目のＭのトナー像の厚さが変動するので、１色目のＹのトナー像の上に現像される２色目のＭのトナー像の濃度が不安定になってしまう。
【００２６】
例えば、ＶＴ４が上昇した場合は、現像コントラストが減るので現像されるＭの現像剤の量が減り、ＶＴ４が下降した場合は、現像コントラストが増すので現像されるＭの現像剤の量が増してしまうので、安定して正確な色調を得ることができない。なお、ここで画像コントラストとはＶＴ３−ＶＴ４のことをいう。
【００２７】
このようにＶＴ４が不安定になってしまう原因としては、感光体ドラム１の光導電特性や、１色目のＹの現像量（トナー量）が、温度、湿度に表される装置本体の使用環境、使用回数によって変動してしまうことが挙げられる。
【００２８】
そこで、ＶＴ４の変動を補正して、多重現像において安定した色調を保つ手段を有する画像形成装置が提案されている（特許文献１）。
【００２９】
これは感光体ドラムの表面上に電位測定用の画像を形成し、その画像の表面電位を表面電位計によって測定し、測定結果を２色目の現像の露光条件等にフィードバックさせることで、ＶＴ４の変動に応じて２色目の露光量の補正を行うものである。
【００３０】
この方法によると、ＶＴ４が変動してもＶＴ４の変動に応じて２色目の現像の際の露光量を補正することができるので、求める色調をいくらかは安定させて再現することが可能になる。
【００３１】
しかし、現像済みの１色目のＹのトナー像の上から２色目のＭのトナー像を現像する場合は、１色目のＹのトナー像が既に感光体ドラムの表面上にある為に、Ｙのトナー像の厚さ分だけ、Ｍの現像剤が現像器から感光体ドラムの方向へ移動する距離が短くなる。
【００３２】
そして、Ｍの現像器とＹのトナー像の表面との間隔（ギャップ）が狭まれば狭まるほど、Ｍの現像器とＹのトナー像の間に生じる電界の大きさが増大し、２色目のＭの現像剤の充電効率が増大する。
【００３３】
この場合、Ｍの現像剤の充電効率の変動を考慮しないままＭのトナー像を現像すると、結果的にＭのトナー像の濃度が不安定になってしまうので、正確な色調を再現することが困難である。特にこの現象は一成分非接触現像法を用いてＤＣバイアス現像を行った場合に顕著である。
【００３４】
また、１色目のＹのトナー像が既に存在する場合に、Ｙの現像剤の誘電率の影響により２色目のＭのトナーの現像特性が変化する場合がある。その結果、Ｙのトナー像の上に現
像されるＭのトナー像の濃度が不安定になり、正確な色調を再現することが困難になる。
【００３５】
これに対し、上記特許文献１に係る画像形成装置では、２色目の現像剤の充電効率の変動、現像済みの１色目のトナー像が２色目の現像剤の誘電率に及ぼす影響を考慮して、露光量等の補正を行うものではない。よって、これらの問題を解決することが困難である。
【００３６】
本発明はこのような現状に鑑みてなされたもので、安定して正確な色調を再現することが可能な画像形成装置を提供することを目的とする。
【課題を解決するための手段】
【００３７】
上記目的を達成するために本発明にあっては、光導電性の像担持体と、前記像担持体の表面を一様に帯電する帯電手段と、前記帯電手段によって帯電された前記像担持体の表面を露光して、前記像担持体の表面に静電潜像を形成する露光手段と、前記静電潜像に対して現像剤を供給して前記静電潜像を現像する現像手段と、を有し、前記帯電手段、前記露光手段、前記現像手段によって、帯電、露光、現像を繰り返すことによって、カラー画像を重ねて現像する画像形成装置において、前記像担持体上に形成された測定用画像の表面電位を検知する表面電位検知手段と、前記測定用画像に供給された現像剤の現像量を検知する現像量検知手段と、前記表面電位検知手段と前記現像量検知手段による検知結果に基づいて、前記露光手段の露光条件を決定する計算手段と、前記計算手段によって決定された露光条件に基づいて露光を制御する露光制御手段と、を有し、前記像担持体の表面に現像された現像済みの現像剤の上に重ねて、新たに現像剤を現像する際は、現像済みの現像剤で形成された測定用画像と、新たに現像される現像剤で形成された測定用画像の、前記表面電位検知手段、及び前記現像量検知手段による検知結果に基づいて、前記計算手段が計算することによって露光条件を決定し、決定された露光条件に基づいて前記露光制御手段が露光を制御することを特徴とする。
【発明の効果】
【００３８】
本発明によれば、安定して正確な色調を得ることが可能な画像形成装置を提供することができる。
【発明を実施するための最良の形態】
【００３９】
以下に図面を参照して、この発明を実施するための最良の形態を、例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００４０】
（実施の形態）
図６に、本発明の実施の形態に係る画像形成装置としてのカラーレーザプリンタの要部を表す。このカラーレーザプリンタは、画像データ形成装置、画像記憶装置、画像読み取り装置、画像処理装置、画像表示装置など、様々な形態の画像データ出力装置から転送される画像データに基づいてハードコピーを作成するプリンタである。
【００４１】
（画像形成装置の全体構成）
図６に示すカラーレーザプリンタを参照して、本発明の実施の形態に係る画像形成装置の全体構成について説明する。このカラーレーザビームプリンタは、像担持体として、ドラム形状の導電性基体上に光導電層部材を被着した感光体ドラム１を有し、この感光体ドラム１は図中矢印方向に定常回転する。
【００４２】
そして感光体ドラム１の回転方向に沿って、帯電手段としての帯電器２、現像手段としての現像器３１〜３４、転写手段４、クリーナ５、除電ランプ８、がそれぞれ配設されて
いる。また、露光手段として、リーダー部１０、及びレーザ光射出部６が配設される。
【００４３】
帯電手段としての帯電器２は、感光体ドラム１の表面上を一様に帯電させるものであり、現像手段としての現像器３１〜３４は、第１〜第４の現像剤（トナー）である、Ｙ（イエロー）、Ｍ（マゼンタ）、Ｃ（シアン）、Ｋ（ブラック）の現像剤を収容する。なお、現像器３１〜３４は感光体ドラム１の表面に対して非接触に配設される。
【００４４】
また、転写手段４は、感光体ドラム１の表面上に形成されたトナー像を紙などのシート材へ転写するもので、クリーナ５は、感光体ドラム１上の残留トナーを除去し、除電ランプ８は、感光体ドラム１表面を除電するものである。
【００４５】
また、リーダー部１０、レーザ光射出部６は、リーダー部１０に入力される色分解画像データに基づいて、レーザ光射出部６がレーザ光を感光体ドラム１の表面上に射出し、感光体ドラム１の表面上を走査して静電潜像を形成するためものである。
【００４６】
さらに、本実施の形態に係る画像形成装置では、現像器３１〜３４の、感光体ドラム１の回転方向の隣接部に、現像量検知手段としての現像量検出器２０と、表面電位検知手段としての表面電位計２１が配設される。さらに現像量検出器２０、表面電位計２１の各々に接続されて計算手段としての計算回路２２が設けられる。また、計算手段としての計算回路２２はリーダー部１０と、露光制御手段としてのパルス幅変調回路２３と接続される。
【００４７】
（多重現像のプロセス）
上記のように構成される画像形成装置によって、既に感光体ドラム１上に形成されるトナー像の上に、新たにトナー像を現像する多重現像のプロセスについて説明する。
【００４８】
まず、感光体ドラム１の表面上に、１色目と２色目の現像剤の測定用画像としてのパッチを作成する。そして、この測定用画像のパッチから、各々のトナー像の現像量、パッチ上の表面電位を、現像量検出器２０と表面電位計２１によって検知する。検知結果は計算手段としての計算回路２２へ送られる。
【００４９】
計算手段としての計算回路２２は、リーダー部１０から入力される色分解画像データと、現像量検出器２０と表面電位計２１の検知結果に基づいて、感光体ドラム１の表面上に現像しようとするトナー像の露光量を計算する。この計算手法については後に詳細に説明する。
【００５０】
そして、計算回路２２における計算結果に基づいて、露光量制御手段としてのパルス幅変調（ＰＷＭ）回路２３が、１画素あたりの露光時間を制御しつつ、駆動信号を露光手段としてのレーザ射出部６へ出力する。
【００５１】
パルス幅変調（ＰＷＭ）回路２３から駆動信号が出力されると、レーザ光射出部６からレーザ光が射出され、感光体ドラム１の表面上に特定の色の画像信号に応じた静電潜像が形成される。なお、本実施の形態ではレーザ光射出部６の光源に波長７８０ｎｍの半導体レーザが用いられる。
【００５２】
また、本実施の形態で用いられる像担持体としての感光体ドラム１の光導伝性部材には膜圧２０μｍのＯＰＣが用いられ、その比誘電率は３．０である。なお、露光が行われる前には、感光体ドラム１の表面は予めＶＤ＝−１０００Ｖに帯電される。
【００５３】
そして、感光体ドラム１の表面上に静電潜像が形成されると、特定の色の現像剤（トナ
ー）が現像器３１〜３４から静電潜像へ供給される。なお、本実施の形態で使用する現像剤（トナー）はポリエステル系、粒径８μｍの現像剤であり、比誘電率は１．８である。
【００５４】
また、現像手段としての現像器３１〜３４には、非磁性一成分現像器を用いており、現像器の現像ローラと感光体ドラム１のギャップは１００μｍに設定され、現像器の現像ローラには、図示しない電圧印加手段により直流電圧が印加される。
【００５５】
感光体ドラム１の表面上の静電潜像に対し特定の色の現像剤が供給されると、静電潜像は感光体ドラム１の表面上でトナー像として可視化される。多重現像の場合は、感光体ドラム１が回転して上記で説明した露光から現像までのプロセスを繰り返し、現像済みのトナー像の上に新たなトナー像を現像し、多色の画像を得る。
【００５６】
（露光量の計算方法）
以下、上記のように構成、動作する本実施の形態に係る画像形成装置において、現像量検出器２０と表面電位計２１の検知結果に基づいて、２色目の現像剤を現像する際の露光量を計算する計算手法について説明する。
【００５７】
ここではよりわかりやすく説明を行うために、感光体ドラム１の表面上に１色目のＹ（イエロー）のトナー像を現像した後に、その上から２色目のＭ（マゼンダ）のトナー像を現像する過程を説明する。しかしながら、現像剤の組合せがこれ以外の組合せであっても、計算手法は同一であることはいうまでもない。
【００５８】
図３に、感光体ドラム１の表面上に１色目のＹのトナー像を現像した場合の、断面における模式図を示す。ここで、感光体ドラム１の膜厚をｄ１、誘電率をε１とし、現像剤Ｙのトナー像の厚さ（現像量）をｄ３、誘電率をε３、電荷密度をρ３とする。
【００５９】
これらの値と、１色目のＹのトナー像の表面電位ＶＴ１、１色目のＹの露光を行った際のトナー画像形成部の電位ＶＬ１の関係を表す式を以下に示す。ただし、上記で説明したように本実施の形態においては、現像剤の比誘電率ε３を１．８としているが、数１によって実際に計算を行う際は、ε３はトナーの空隙率を考慮して、ε３＝１．８ε０ではなくε３＝１．２ε０として計算を行う。
【００６０】
【数１】
2008145745.tif 000003
【００６１】
ここで、ＶＴ１とｄ３は、Ｙの現像剤の測定用画像のパッチ測定によって求められる値である。パッチ測定に用いられるパッチの大きさは、大きすぎると無駄な現像剤を消費し、小さすぎるとパッチ測定の誤差が生じやすいので、５×５ (ｍｍ)〜２０×２０ (ｍｍ)程度の大きさが望ましい。
【００６２】
パッチ測定を行う際の測定用画像を作成する際は、まずＹの現像剤の画像情報に基づいてレーザ露光を行い、静電潜像の電位をＶＬ１＝−５００ｖに設定して静電潜像を形成する。続いて、Ｙの現像器によってＹの測定用画像を現像する。この際の現像電位はＶＤＣ１＝−９００Ｖに設定される。
【００６３】
このようにして測定用画像が現像された後、現像量検知器２０によって測定用画像の現像量を検知し、トナー像の厚さｄ３を決定する。また、表面電位計２１によってＶＴ１を
測定する。
【００６４】
以上のようにして、測定用画像のパッチ測定から求まるｄ３とＶＴ１の値を用いて数１に示す数式を計算すると、Ｙのトナー像の電荷密度ρ３を求めることが可能になる。
【００６５】
また、上記と同様にして、数１、及び２色目の現像剤Ｍの測定用画像のパッチ測定により、２色目の現像剤Ｍのトナー像の電荷密度ρ４を求めることが可能になる。
【００６６】
図４に、感光体ドラム１の表面上に１色目のＹのトナー像を現像した後、その上から２色目のＭのトナー像を現像した場合の、断面における模式図を示す。なお、２色目のＭのトナー像の厚さをｄ４とし、誘電率ε３は１色目のＹのトナー像と同じ値とする。
【００６７】
２色目のＭのトナー像を現像するために、まず１色目のＹのトナー像の上を再露光する。再露光によって、１色目のＹのトナー像の表面電位がＶＴ４となる。さらにＭのトナー像をＹのトナー像の上に現像した後の、Ｍのトナー像の表面電位をＶＴ３とすると、ＶＴ３−ＶＴ４で表される画像コントラストは、次式（数２）で求まる。
【００６８】
【数２】
2008145745.tif 000004
【００６９】
また、Ｙのトナー像の厚さｄ３と、Ｍのトナー像の充電効率ｅには、図５に示す関係があることがわかっている。この関係を用いて、Ｙのトナー像の厚さｄ３から充電効率ｅの値を求める。
【００７０】
以上、数２で求めた画像コントラスト（ＶＴ３−ＶＴ４）、図５で求めた充電効率ｅ、２色目のＭの現像電位ＶＤＣ２の値から、これらの値の関係を表す次式（数３）を用いてＶＴ４を求めることができる。
【００７１】
【数３】
2008145745.tif 000005
【００７２】
そして、数式３によって求まったＶＴ４の値を、次式（数４）に用いると、設定すべきＶＬ３を求めることができる。
【００７３】
【数４】
2008145745.tif 000006
【００７４】
そして、得られたＶＬ３の値に基づいて、露光制御手段としてのパルス幅変調（ＰＭＶ）回路２３が露光量を制御する。なお、ＰＷＭによる露光量の制御方法は、特開平５−１９７２５３号公報に示されるように、トナー透過率を考慮した方法を採用する。
【００７５】
以上に説明する現像プロセスによって、多重現像を行う際も、感光体ドラムの表面上に形成されるトナー像の濃度が不安定になることなく、安定して正確な色調を再現することが可能な画像形成装置を提供することができる。
【図面の簡単な説明】
【００７６】
【図１】従来例に係る画像形成装置の概略構成図
【図２】多重現像プロセスにおける感光体ドラムの表面電位の変化を表した図
【図３】感光体にトナー像が現像された時の模式図
【図４】感光体に２色目のトナー像が１色目のトナー像の上に現像された時の模式図
【図５】１色目のトナー像の現像量ｄ３と、２色目現像剤の充電効率ｅの関係を示したグラフ
【図６】本発明の実施の形態に係る画像形成装置の概略構成図
【符号の説明】
【００７７】
１      感光体ドラム
２      帯電器
４      転写手段
５      クリーナー
６      レーザー光射出部
８      除電ランプ
１０    リーダー部
２０    現像量検出器
２１    表面電位計
２２    計算回路
２３    パルス幅変調回路
３１    イエロー現像器
３２    マゼンタ現像器
３３    シアン現像器
３４    ブラック現像器
【図１】
2008145745.tif 000007
【図２】
2008145745.tif 000008
【図３】
2008145745.tif 000009
【図４】
2008145745.tif 000010
【図５】
2008145745.tif 000011
【図６】
2008145745.tif 000012